(57)【要約】【課題】米消費者が帰宅して通信接続器１５に携帯電話機をセットするだけで、米櫃の情報を米販売店に送信させたり、米販売店の情報を米消費者が受信でき、従来のような特別な発信機を不要にして双方向通信を容易に行うことができ、使用頻度の向上並びに低コスト化などを図る。【解決手段】玄米または白米を入れる米タンクと、電話機に通信接続器を介して接続させる米櫃コントローラとを、米櫃本体に設けると共に、電話機１４を通信手段として利用する通信コントローラ１５を設けることを特徴とする。【選択図】      図３
2004283270.tif 000002
【特許請求の範囲】
【請求項１】
玄米または白米を入れる米タンクと、電話機に通信接続器を介して接続させる米櫃コントローラとを、米櫃本体に設けると共に、電話機を通信手段として利用する通信コントローラを設けることを特徴とする米櫃セット。
【請求項２】
米販売店のコンピュータに米櫃の情報を送信することを特徴とする請求項１に記載の米櫃セット。
【請求項３】
米の残量を検出して米販売店に注文を自動的に行うことを特徴とする請求項１に記載の米櫃セット。
【請求項４】
商品を選択する注文スイッチの操作によって米及び取扱い商品を米販売店に発注することを特徴とする請求項２に記載の米櫃セット。
【請求項５】
米販売店の米情報を受信して電話モニタに米の履歴を表示させることを特徴とする請求項２に記載の米櫃セット。
【請求項６】
米販売店が米消費者に米櫃本体を貸与することを特徴とする請求項１に記載の米櫃セットの販売方法。
【請求項７】
米を入れるタンクと、精米機と、炊飯器を組合せまたは分離可能に設けることを特徴とする請求項１に記載の米櫃セット。
【請求項８】
米櫃本体の設置場所以外の離れた場所から電話機を用いて米櫃本体と通信可能に構成することを特徴とする請求項１に記載の米櫃セット。
【発明の詳細な説明】
【０００１】
【発明の属する技術分野】
本発明は例えば米を洗う手間が省けてそのまま炊ける無洗米の炊飯器などを設ける米櫃セット並びに販売方法に関する。
【０００２】
【従来の技術】
従来、各家庭など米消費者に米を適正に供給する技術がある。（特許文献１参照）また、米櫃タンクに精米機を組合せる技術がある。（特許文献２参照）
【０００３】
【特許文献１】特開２００２−１９３４４６
【特許文献２】特開２００１−２３２２１９
【０００４】
【発明が解決しようとする課題】
従来、発信機を特別に設ける米櫃が必要であると共に、米の発注専用として用いるだけであり、精米機を組合せて白米を容易に得られても、使用頻度を高めたり低コスト化を容易に行い得ない。また、米だけの販売となって米販売店と米消費者の双方の利益向上を容易に図り得ないと共に、米消費者による炊飯の手間を軽減したり米販売店の利用を高めることが難しい等の問題がある。
【０００５】
【課題を解決するための手段】
然るに、本発明は、請求項１の如く、玄米または白米を入れる米タンクと、電話機に通信接続器を介して接続させる米櫃コントローラとを、米櫃本体に設けると共に、電話機を通信手段として利用する通信コントローラを設けるもので、例えば米櫃を形成する箱形米櫃本体に、携帯電話機の通信接続器を設けることにより、米消費者が帰宅して通信接続器に携帯電話機をセットするだけで、米櫃の情報を米販売店に送信させたり、米販売店の情報を米消費者が受信し得、従来のような特別な発信機を不要にして双方向通信を容易に行い得、使用頻度の向上並びに低コスト化などを容易に図り得るものである。
【０００６】
また、請求項２の如く、米販売店のコンピュータに米櫃の情報を送信するもので、例えば米櫃の米残量、米の銘柄、玄米または白米の種別、または米の消費量などを米販売店のコンピュータにデータ蓄積させることにより、米販売店が消費者の米の好みなどを把握し得、かつ消費者に適した情報を米販売店から消費者が得られ、繁用性の向上などを容易に図り得るものである。
【０００７】
また、請求項３の如く、米の残量を検出して米販売店に注文を自動的に行うもので、米消費者側から例えば米種類または配達時間などのデータが米販売店に自動的に送信されることにより、消費者の注文手間または販売店の聞き取り等を省いて簡便に使用し得るものである。
【０００８】
また、請求項４の如く、商品を選択する注文スイッチの操作によって米及び取扱い商品を米販売店に発注するもので、米販売店が取扱う商品と米の両方を同時に配達し得、例えば重い酒類なども消費者に容易に届けられて簡便に使用し得るものである。
【０００９】
また、請求項５の如く、米販売店の米情報を受信して電話モニタに米の履歴を表示させるもので、米消費者が米の生産地または生産者などを確認して注文し得、消費者の信頼を向上させ得るものである。
【００１０】
また、請求項６の如く、米販売店が米消費者に米櫃本体を貸与するもので、販売店の販路の拡大並びに消費者の購入負担の軽減などを容易に行い得、かつ消費者によるメンテナンス等の面倒も少なくして利便性を向上させ得るものである。
【００１１】
また、請求項７の如く、米を入れるタンクと、精米機と、炊飯器を組合せまたは分離可能に設けるもので、タンクを設ける構造を基本にして消費者の希望する仕様に容易に構成し得、かつ精米機などのメンテナンス及び修理も例えば部品交換のように行い得、取扱い性を向上し得るものである。
【００１２】
また、請求項８の如く、米櫃本体の設置場所以外の離れた場所から電話機を用いて米櫃本体と通信可能に構成するもので、例えば米消費者が出先から米櫃本体に炊飯の予約または取消し等を指示し得、利便性の向上などを図り得るものである。
【００１３】
【発明の実施の形態】
以下、本発明の実施例を図面に基づいて詳述する。図１は全体図であり、米（玄米または白米）を入れる米タンク１を四角形箱体２の上部に設け、米タンク１下部の米取出し部に計量機３を設け、計量し乍らタンク（１）の米を下方に取出すと共に、米タンク１の下方の箱体２にカセット形精米機４を取出し自在に内設させ、例えば５分づきまたは白米または無洗米など仕上り等を入力する精米コントローラ５を精米機４に付設させ、タンク１の計量後の米を精米機４に投入して精米させる。
【００１４】
また、精米機４の側方の箱体２にカセット形給水タンク６を取出し自在に内設させ、着脱自在な水タンク７の水を給水タンク６から定量送水させると共に、炊飯器８を出入自在に設置させる収納部９を箱体２の下部に設け、精米機４からの米と、給水タンク６からの水を、注入口１０から、収納部９の炊飯器８の蓋１１に形成する投入口１２を介して内部のなべ１３に投入させ、米を炊くように構成している。
【００１５】
また、米タンク１側方の箱体２上部に、携帯電話機１４を載置させる充電器兼用の通信接続器１５を設けると共に、接続器１５の下方の箱体２に米櫃コントローラ１６を設けるもので、図２のように、精米機４、給水タンク６及び炊飯器８を夫々各別に箱体２に着脱自在に設けると共に、精米機４を取出したとき、米タンク１を精米機４取付け位置に降下させ、米タンク１を低い位置に支持させる。
【００１６】
さらに、図３に示す如く、計量機３、精米機４、炊飯器８及び給水タンク６を米櫃コントローラ１６に電気接続させると共に、計量機３の計量動作、精米機の精米動作、給水タンク６の給水動作、炊飯器８の炊飯動作を順次行わせる手動炊飯用炊飯開始スイッチ１７をコントローラ１６に接続させ、該スイッチ１７の操作により、前記の計量乃至炊飯動作を連続して自動的に行わせる。
【００１７】
また、炊く米の量を初期設定する炊飯量設定器１８と、炊上がり時間（何時何分）を設定する炊飯時間設定器１９と、該設定器１９の時間に米を炊上げる動作を自動的に行わせる炊飯自動スイッチ２０と、炊飯器８の有無を確認する炊飯器センサ２１と、米タンク１の米残量を検出する米残量センサ２２と、給水タンク６から炊飯器８に供給される水量を検出する水量センサ２３と、給水タンク６の水残量を検出する水センサ２４と、前記の計量乃至炊飯の一連の動作の開始及び終了を制御する時間を演算する炊飯タイマ２５と、前記の計量乃至炊飯の一連の動作状況などを表示する米櫃モニタ２６と、異常を知らせるブザー型警報装置２７を、米櫃コントローラ１６に接続させ、米タンク１の米の計量、精米、炊飯用給水、炊飯の各動作を行わせ、玄米を無洗米（または５分づきまたは白米）に精米して炊上げる。
【００１８】
さらに、米櫃コントローラ１６と通信コントローラ１５を接続させ、携帯電話機１４と電話回線２８を介して米櫃コントローラ１６と米販売店の管理コンピュータ２９を通信接続させるもので、米生産データを管理コンピュータから入力させる米生産者スイッチ３０と、消費者が希望する米の銘柄を選択する米銘柄スイッチ３１を、米櫃コントローラ１６に接続させると共に、米及びビール及び日本酒及び配達時間（何日何時何分）などの入力ボタン３２を設ける商品・配達時間・注文スイッチ３３を通信コントローラ１５に接続させ、前記の米生産者スイッチ３０操作により管理コンピュータの米情報を電話機１４の電話モニタ３４及び米櫃モニタ２６に表示させる一方、米銘柄スイッチ３１及び注文スイッチ３３の操作により消費者の米及び商品の注文を管理コンピュータ２９に送信させ、該コンピュータ２９の管理モニタ３５に前記注文を表示させ、またコンピュータ２９のプリンタ３６によって前記注文を印刷させる。また、管理コンピュータ２９に米生産データ入力器３７を接続させ、米生産者のコンピュータの米生産データ（何月何日出荷予定、使用薬剤及び肥料）を管理コンピュータ２９に読込ませ、前記スイッチ３０操作によって米櫃コントローラ１６に送信させる。
【００１９】
上記から明らかなように、玄米または白米を入れる米タンク１と、電話機１４に通信接続器１５を介して接続させる米櫃コントローラ１６とを、米櫃本体である箱体２に設けると共に、携帯電話機１４を通信手段として利用する通信コントローラ１５を設け、例えば米櫃を形成する箱体２に、携帯電話機１４の通信接続器１５を設けることにより、米消費者が帰宅して通信接続器１５に携帯電話機をセットするだけで、米櫃の情報を米販売店に送信させたり、米販売店の情報を米消費者が受信し、従来のような特別な発信機を不要にして双方向通信を容易に行え、使用頻度の向上並びに低コスト化などを図るもので、米販売店のコンピュータ２９に米櫃の情報を送信させ、例えば米櫃の米残量、米の銘柄、玄米または白米の種別、または米の消費量などを米販売店のコンピュータ２９にデータ蓄積させることにより、米販売店が消費者の米の好みなどを把握し、かつ消費者に適した情報を米販売店から消費者が得られ、繁用性の向上などを図る。また、電話機１４として、前記の携帯構造に代え、ファクシミリ構造または定位置設置構造のものでディスプレイ（通信モニタ）を備えた電話機及び電話回線を用いることも行える。
【００２０】
また、米の残量を検出して米販売店に注文を自動的に行い、米消費者側から例えば米種類または配達時間などのデータが米販売店に自動的に送信されることにより、消費者の注文手間または販売店の聞き取り等を省いて簡便に使用させると共に、商品を選択する注文スイッチ３３の操作によって米及び取扱い商品を米販売店に発注させ、米販売店が取扱う商品と米の両方を同時に配達させ、例えば重い酒類なども消費者に容易に届けられて簡便に使用させる。
【００２１】
また、米販売店の米情報を受信して電話モニタ３４に米の履歴を表示させ、米消費者が米の生産地または生産者などを確認して注文し、消費者の信頼を向上させると共に、米販売店が米消費者に箱体２を貸与し、販売店の販路の拡大並びに消費者の購入負担の軽減などを行い、かつ消費者によるメンテナンス等の面倒も少なくして利便性を向上させる。
【００２２】
また、米を入れるタンク１と、精米機４と、炊飯器８を組合せまたは分離可能に設け、タンク１を設ける構造を基本にして消費者の希望する仕様に構成させ、かつ精米機４などのメンテナンス及び修理も例えば部品交換のように行い、取扱い性を向上させると共に、米櫃本体である箱体２の設置場所以外の離れた場所から電話機を用いて箱体２と通信可能に構成し、例えば米消費者が出先から箱体２に炊飯の予約または取消し等を指示させ、利便性の向上などを図る。
【００２３】
また、図４のフローチャートに示す如く炊飯制御を行うもので、炊飯器センサ２１によって炊飯器８が設置されているのを検出しているとき、設定器１８の炊飯量が入力され、炊飯自動スイッチ２０のときに自動炊飯動作が開始され、計量機３及び精米機４を作動させ、米タンク１の玄米を計量して精米する計量精米動作が行われ、給水タンク６から適量の水を給水させ、適正な米量及び水量が炊飯器８に投入されて炊飯動作が行われ、米を炊上げる炊飯制御が行われる。
【００２４】
さらに、図５のフローチャートに示す如く通信制御を行うもので、米残量センサ２２が検出する米タンク１の米が少なくなったとき、米・ビール・日本酒などの商品注文と配達時間と米の注文が携帯電話機１４を介して管理コンピュータ２９に自動的に送信されると共に、米生産者スイッチ３０の操作により米生産データの開示が請求されたとき、管理コンピュータ２９の米生産データを携帯電話機１４を介して入力させる受信動作を行わせ、米櫃モニタ２６及び電話モニタ３４に米生産データ（出荷時期、使用農薬、肥料）を米の銘柄別に表示させる。
【００２５】
【発明の効果】
以上実施例から明らかなように本発明は、請求項１の如く、玄米または白米を入れる米タンクと、電話機に通信接続器を介して接続させる米櫃コントローラとを、米櫃本体に設けると共に、電話機１４を通信手段として利用する通信コントローラ１５を設けるもので、例えば米櫃を形成する箱形米櫃本体２に、携帯電話機１４の通信接続器１５を設けることにより、米消費者が帰宅して通信接続器１５に携帯電話機をセットするだけで、米櫃の情報を米販売店に送信させたり、米販売店の情報を米消費者が受信でき、従来のような特別な発信機を不要にして双方向通信を容易に行うことができ、使用頻度の向上並びに低コスト化などを容易に図ることができるものである。
【００２６】
また、請求項２の如く、米販売店のコンピュータ２９に米櫃の情報を送信するもので、例えば米櫃の米残量、米の銘柄、玄米または白米の種別、または米の消費量などを米販売店のコンピュータ２９にデータ蓄積させることにより、米販売店が消費者の米の好みなどを把握でき、かつ消費者に適した情報を米販売店から消費者が得ることができ、繁用性の向上などを容易に図ることができるものである。
【００２７】
また、請求項３の如く、米の残量を検出して米販売店に注文を自動的に行うもので、米消費者側から例えば米種類または配達時間などのデータが米販売店に自動的に送信されることにより、消費者の注文手間または販売店の聞き取り等を省いて簡便に使用できるものである。
【００２８】
また、請求項４の如く、商品を選択する注文スイッチ３３の操作によって米及び取扱い商品を米販売店に発注するもので、米販売店が取扱う商品と米の両方を同時に配達でき、例えば重い酒類なども消費者に容易に届けられて簡便に使用できるものである。
【００２９】
また、請求項５の如く、米販売店の米情報を受信して電話モニタ３４に米の履歴を表示させるもので、米消費者が米の生産地または生産者などを確認して注文でき、消費者の信頼を向上させることができるものである。
【００３０】
また、請求項６の如く、米販売店が米消費者に米櫃本体２を貸与するもので、販売店の販路の拡大並びに消費者の購入負担の軽減などを容易に行うことができ、かつ消費者によるメンテナンス等の面倒も少なくして利便性を向上させることができるものである。
【００３１】
また、請求項７の如く、米を入れるタンク１と、精米機４と、炊飯器８を組合せまたは分離可能に設けるもので、タンク１を設ける構造を基本にして消費者の希望する仕様に容易に構成でき、かつ精米機４などのメンテナンス及び修理も例えば部品交換のように行うことができ、取扱い性を向上させることができるものである。
【００３２】
また、請求項８の如く、米櫃本体２の設置場所以外の離れた場所から電話機を用いて米櫃本体２と通信可能に構成するもので、例えば米消費者が出先から米櫃本体２に炊飯の予約または取消し等を指示でき、利便性の向上などを図ることができるものである。
【図面の簡単な説明】
【図１】全体の正面図。
【図２】着脱説明図。
【図３】米櫃制御回路図。
【図４】炊飯制御フローチャート。
【図５】通信制御フローチャート。
【符号の説明】
１      米タンク
２      箱体（米櫃本体）
４      精米機
８      炊飯器
１４    携帯電話機
１５    通信コントローラ
２９    管理コンピュータ
３３    注文スイッチ
３４    電話モニタ
【図１】
2004283270.tif 000003
【図２】
2004283270.tif 000004
【図３】
2004283270.tif 000005
【図４】
2004283270.tif 000006
【図５】
2004283270.tif 000007